(57)【特許請求の範囲】
【請求項１】
前身頃、後身頃及びこれら両者間に位置する股下部からなり、吸収性物品が固定されて着用される生理用ショーツにおいて、前記股下部を伸縮素材から構成すると共に、該股下部の縦中心線に沿って、該股下部の前端から後端まで延び且つ該股下部を構成する伸縮素材よりも伸縮性の弱い帯状の弱伸縮部材を該股下部にのみ配し、且つ該股下部における着用者の排泄部位に対応する位置に、該股下部を構成する伸縮素材よりも剛性が高く且つ該股下部よりも狭幅の板状の保形片を該股下部の縦中心線に沿って配し、該保形片は着用者の排泄部位に対応する位置の前側及び後側の位置には存在しておらず、該弱伸縮部材をその長手方向に亘り該股下部を構成する伸縮素材に固定すると共に該保形片を該弱伸縮部材及び該伸縮素材に固定した生理用ショーツ。
【請求項２】
前記弱伸縮部材の幅が、前記股下部の最狭部の幅の１〜５０％である請求項１記載の生理用ショーツ。
【請求項３】
前記弱伸縮部材は、その１Ｎ荷重下での伸張率が１５％以下である請求項１又は２記載の生理用ショーツ。
【請求項４】
前記股下部が、ショーツの外面側に位置する外側股下布と、内面側に位置する内側股下布から構成されており、両股下布はその周囲に閉じた形状の縫合部が形成されるように縫合されており、
前記外側股下布と前記内側股下布との間に前記弱伸縮部材が配されており、該弱伸縮部材は該内側股下布に縫合されており、
前記保形片は、前記弱伸縮部材及び前記内側股下布に縫合されている請求項１〜３の何れかに記載の生理用ショーツ。
【請求項５】
前記保形片の曲げ剛性値が１〜５０ｃＮ／ｃｍである請求項１〜４の何れかに記載の生理用ショーツ。
【発明の詳細な説明】
【０００１】
【発明の属する技術分野】
本発明は、生理用ナプキンやパンティライナなどの吸収性物品が固定されて着用される生理用ショーツに関する。
【０００２】
【従来の技術及び発明が解決しようとする課題】
生理用ショーツは一般に、それに固定される生理用ナプキンを着用者の身体にフィットさせるために、伸縮素材から構成されている。しかし、伸縮素材による押し付けのみでは、着用者の動きに起因する吸収性物品の位置ずれを完全に防止することはできない。
【０００３】
登録実用新案第３０５３８６５号明細書には、股下部の内側に、非伸縮性布帛又は股下部の生地よりも弱伸縮性の布帛を配し、該布帛の前後端を股下部の前後端に縫着した生理用ショーツが記載されている。また特開平８−２９９３８６号公報には、伸縮性を有するナプキン装着帯の両端部を前身頃と後身頃に固着した生理用ショーツが記載されている。これらの生理用ショーツは、ナプキンと身体との密着性を高めることを目的としている。
【０００４】
しかし、これらの生理用ショーツにおいては、前記布帛や前記装着帯にナプキンが固定されることから、ショーツの装着中においては、これら布帛や装着帯による押しつけでナプキン全体が着用者の身体に圧着されることになる。その結果ナプキンが着用者の身体に合った形状に変形せず十分なフィット性が得られない。
【０００５】
従って、本発明は、生理用ナプキン等の吸収性物品が着用者の身体に合った形状に変形することができ、十分なフィット性の得られる生理用ショーツを提供することを目的とする。
【０００６】
【課題を解決するための手段】
本発明は、前身頃、後身頃及びこれら両者間に位置する股下部からなり、吸収性物品が固定されて着用される生理用ショーツにおいて、前記股下部を伸縮素材から構成すると共に、該股下部の縦中心線に沿って、該股下部の前端から後端まで延び且つ該股下部を構成する伸縮素材よりも伸縮性の弱い帯状の弱伸縮部材を該股下部にのみ配し、且つ該股下部における着用者の排泄部位に対応する位置に、該股下部を構成する伸縮素材よりも剛性が高く且つ該股下部よりも狭幅の板状の保形片を該股下部の縦中心線に沿って配し、該保形片は着用者の排泄部位に対応する位置の前側及び後側の位置には存在しておらず、該弱伸縮部材をその長手方向に亘り該股下部を構成する伸縮素材に固定すると共に該保形片を該弱伸縮部材及び該伸縮素材に固定した生理用ショーツを提供することにより前記目的を達成したものである。
【０００７】
【発明の実施の形態】
以下本発明を、その好ましい実施形態に基づき図面を参照しながら説明する。図１には、本発明の生理用ショーツの第１の実施形態の斜視図が示されている。また、図２には、図１に示すショーツの股下部を外面側からみた一部破断平面図が示されている。尚、図２においては、上側が前見頃側を表し、下側が後見頃側を表す。
【０００８】
本実施形態の生理用ショーツ１は、生理用ナプキンやパンティライナなどの吸収性物品が固定されて着用されるものであり、前身頃２、後身頃３、及び前身頃２と後見頃３との間に位置する股下部４からなる。前身頃２及び後見頃３は何れも一枚の布から構成されている。一方、股下部４は、ショーツ１の外面側に位置する外側股下布５と、内面側に位置する内側股下布６との二枚重ねとなっている。各布は互いに縫合されてショーツ１を構成している。各布は、肌触りが良く、通気性及び吸湿性が高いことが好ましく、この点から綿を主体とする素材から構成されていることが好ましい。また各布は、着用者の身体とのフィット性を高める点から、縦横方向に伸縮性を有する伸縮素材から構成されている。伸縮素材は、例えば綿を主体としポリウレタン繊維等のエラストマー繊維を少量含んでいる生地から構成されている。
【０００９】
外側股下布５と内側股下布６とは同形をしている。それらの前後端は、それぞれ前身頃２及び後身頃３に縫合されていると共にそれらの左右両側縁が互いに縫合されている。つまり、両股下布５，６にはその周縁に閉じた形状の縫合部が形成されている。縫合部の内側においては、両股下布５，６は互いに離間可能になっている。内側股下布６における外側股下布対向面には、防水層７が形成されている。防水層７は、例えば内側股下布６における外側股下布対向面を、シリコン系やフッ素系の撥水剤で処理したり、ポリフッ化エチレン、有孔性ポリウレタン、無孔性ポリウレタン、無孔性ポリエチレン等の材料からなる撥水性のシートを複合化することで形成されている。
【００１０】
股下部４における外側股下布５と内側股下布６との間には、股下部４の縦中心線８に沿って細長い帯状部材９が配されている。帯状部材９は、両股下布５，６の長さと同程度の長さになっており、両股下布５，６の前端から後端まで延び、股下部４にのみ配されている。帯状部材９は、両股下布５，６を構成する伸縮素材よりも弱伸縮性となっている。帯状部材９は、その長手方向に亘って、即ち全長に亘って、内側股下布６に縫合によって固定されている。
【００１１】
股下部４に、縦中心線８に沿って帯状部材９を配することで、該帯状部材９が配された領域においては股下部４の伸縮性が阻害される。特に、帯状部材９がその全長に亘って固定されているので、股下部４の伸縮性を効果的に阻害できる。その結果、ショーツ１の着用時に帯状部材９が着用者の身体方向に押し上げられ、それに追随してショーツ１に固定されているナプキンがその縦中心線に沿って上に凸状に変形し、着用者の排泄部位のくぼみにフィットする。一方、股下部４における帯状部材９が配された領域以外の領域は、伸縮性が維持されているので着用者の排泄部位のくぼみに沿うように伸張される。そして、それに追随してナプキンが変形し、着用者の排泄部位のくぼみ周囲の部位の形状に合致する。これによって、着用者の排泄部位はナプキンと隙間無く密着し、液漏れが効果的に防止される。
【００１２】
弱伸縮部材としては例えば有孔性ポリウレタン、無孔性ポリウレタン等の材料からなるシート物などを用いることができる。弱伸縮部材の伸縮性の程度は、股下部４を構成する両股下布５，６の伸縮性の０〜６０％、特に０〜３０％程度であることが、ナプキンと着用者の身体との密着性を高める点から好ましい。
【００１３】
帯状部材９は、一定の幅で股下部４の前端から後端まで延びている。帯状部材９の幅は、股下部４における最狭部の幅の１〜５０％、特に５〜３０％であることが、ナプキンと着用者の身体との密着性を高める点から好ましい。詳細には、帯状部材９の幅が狭すぎると、ショーツ１の着用時に帯状部材９が着用者の身体方向に押し上げられられる力が弱くなり、ナプキンが着用者の排泄部位のくぼみにフィットしにくくなる。一方、帯状部材９の幅が広すぎると、従来技術の項で述べたショーツと同様に、ナプキン全体が着用者の身体に圧着されてしまい、ナプキンが着用者の排泄部位に合った形状に変形しない。
【００１４】
ショーツの着用時に帯状部材９を着用者の身体方向に効果的に押上げる観点から（帯状弾性体部材９を配した部位以外の部位の生地が、身体に合せて伸ばされる結果、身体方向に押し上げる効果となる）、帯状弾性部材９は、１Ｎ荷重下での伸張率が１５％以下、特に８％以下であることが好ましい。伸張率は勿論０％でもよい。伸張率の測定を１Ｎ荷重下とした理由は、通常ショーツに加わる外力（装着圧等）に相当するためである。尚、帯状弾性部材９は、伸張率の測定によって破壊されない程度の強度が必要であり、その破断強度は４Ｎ以上、好ましくは１０Ｎ〜５０Ｎである。
【００１５】
図２に示すように、股下部４における着用者の排泄部位に対応する位置には、当該位置における股下部４の幅よりも幅狭の保形片１０が配されている。保形片１０は所定厚みを有する板状となっている。保形片１０は、その前後端が凸状に湾曲した縦長の矩形をしており、その長辺の方向が縦中心線８の方向と一致するように、縦中心線８に沿って配されている。且つ保形片１０は、縦中心線８に沿って帯状部材９及び内側股下布６に縫合によって固定されている。保形片１０は、両股下布５，６を構成する伸縮素材よりも剛性が高い材料から構成されている。保形片１０を股下部４に配することで、股下部４の剛性（コシ）が高まり、ナプキンを固定したショーツ１の装着中に着用者が激しい動きをしても、ナプキンのヨレが起こりにくくなる。その結果、前述した帯状部材９の作用と相俟って液漏れが一層起こりにくくなる。また、ナプキンが固定される股下部４に剛性が付与されるので、ウイング部を有するナプキンをショーツ１に固定する際に、該ウイング部に塗布されている止着用粘着剤が手にまとわりついたり、ショーツの適正な位置以外の位置に貼り付くことが効果的に防止されて、ウイング部の折り返し及び股下部４への止着を容易に行うことができる。
【００１６】
保形片１０は、その幅が、該保形片１０の固定位置における股下部４の幅の少なくとも２０％あれば、ウイング部止着の操作性向上に十分であり、３０〜８０％であるとナプキンのヨレを効果的に防止できる。また保形片１０自体の幅は、２０〜８０ｍｍ、特に２５〜６０ｍｍであることが好ましい。
【００１７】
股下部４の長手方向に関する保形片１０の固定位置は、ナプキンのフィット性及び装着感にも影響し、股下部４における着用者の排泄部位に対応する位置の前側及び後側の位置には保形片１０が存在していない。これによって内側股下布６自体が有する伸縮性を阻害することなく、内側股下布６に剛性を付与することができる。この点から保形片１０の長さは、股下部４の長さの３０〜９０％、特に４０〜６０％であることが好ましい。同様の理由から、股下部４の前端位置から保形片１０の前端位置までの距離は、股下部４の長さの６０％以下、特に１５〜５０％であることが好ましい。保形片１０自体の長さは、４０〜１００ｍｍ、特に５０〜８５ｍｍであることが好ましい。
【００１８】
ナプキンのヨレを一層防止し、またウイング部付きのナプキンにおける該ウイング部止着の操作性を更に向上させる観点から、保形片１０はその曲げ剛性値が１〜５０ｃＮ／ｃｍ、特に５〜２０ｃＮ／ｃｍであることが好ましい。この場合、保形片１０の曲げ剛性値は、股下部４の長手方向及び幅方向の何れの方向においても前記範囲内であることが最も好ましいが、少なくとも長手方向を曲げの軸としたときの曲げ剛性値が前記範囲内であれば、ウイング部止着の操作性は十分に向上する。
【００１９】
保形片１０の曲げ剛性値は次の方法にて測定される。図３に示す器具及び引張圧縮試験機（テンシロンＲＴＭ２５、東洋ボールドウィン製）を用い、該引張圧縮試験機を圧縮試験モードにする。図３に示す器具は、２７ｍｍの間隔で配置された一対のプレート２１，２１を備えた断面コ字状の受け部材２２と、先端部が、受け部材２２のプレート２１，２１間に挿入される押し込みプレート２３とからなる。受け部材２２のプレート２１及び押し込みプレート２３は、それぞれ厚みが３ｍｍのアクリル樹脂製で、先端部がＲ１５ｍｍの断面円弧状に形成されている。受け部材２２のプレート２１は、高さが各々５０ｍｍで奥行きが７０ｍｍである。押し込みプレート２３は、高さが６０ｍｍで奥行きが５０ｍｍである。保形片１０をショーツから取り出し、股下部の長手方向に４０ｍｍ、幅方向に３０ｍｍにカットする。受け部材２２のプレート２１及び押し込みプレート２３の奥行き方向と保形片１０の長手方向とが約９０度で交差するように、保形片１０のサンプルをプレート２１，２１上に載置する。押し込みプレート２３を引張圧縮試験機に固定した後、該押し込みプレート２３を下降させて、保形片１０のサンプルを、プレート２１，２１間の中央部に５０ｍｍ／分の速度で押し込んでいく。図３の右図に示すように、受け部材２２のプレート２１，２１の先端から、押し込みプレート２３の先端が１０ｍｍ押し込まれた時点におけるサンプルの応力を幅３０ｍｍで除した値を、保形片１０の幅方向の曲げ剛性値とする。長手方向の曲げ剛性値は、股下部の長手方向に３０ｍｍ、幅方向に４０ｍｍにカットした保形片１０を用い、同様の方法で測定される。保形片１０が小さく前述した寸法のサンプルが得られない場合には、なるべく長さ４０ｍｍ、幅３０ｍｍに近い大きさにカットし、測定された応力をカットした幅で除した値を曲げ剛性値とする。
【００２０】
曲げ剛性値が前記範囲となるような保形片１０の素材としては、例えば衣服における袖や襟の芯地として用いられる接着芯を好適に用いることができる。斯かる接着芯は、衣料品の技術分野において通常用いられているものであり、本明細書において特に説明を要するものではない。その他の素材としては、ポリウレタン等からなるフォーム材、熱融着性繊維を含んだ各種不織布及びフォーム材／不織布／織布からなる複合材などが挙げられる。
【００２１】
次に、本発明の第２〜第４の実施形態について図４及び図５を参照しながら説明する。これらの実施形態については、第１の実施形態と異なる点についてのみ説明し、特に説明しない点については、第１の実施形態に関して詳述した説明が適宜適用される。また、図４及び図５において、図１及び図２と同じ部材に同じ符号を付してある。
【００２２】
図４に示す第２の実施形態においては、股下部４の縦中心線８に沿って、股下部４の後端から前端へ向かって延びる帯状部材９が途中で二分岐しておりＹ字状となっている。つまり、股下部４の前端側においては帯状部材９が縦中心線８上から分岐して、股下部４の前端まで延びている。分岐位置は、保形片１０の前端位置とほぼ一致している。帯状部材９を股下部４の前端側において分岐させることで、縦中心線８上に位置する帯状部材９が押し上げられることによるナプキンのフィット性を保ちつつ、ショーツ装着中にナプキンが左右方向に位置ずれすることを効果的に防止できる。
【００２３】
図５（ａ）及び（ｂ）に示す第３及び第４の実施形態においては、これまで述べた実施形態と異なり保形片が配されていない。第３及び第４の実施形態は、帯状部材９の幅が異なる点以外は互いに同様になっている。第３の実施形態における帯状部材９は、第１及び第２の実施形態の帯状部材と同程度の幅になっている。第４の実施形態における帯状部材９の幅は、第３の実施形態における帯状部材９の幅よりも２〜３倍程度大きくなっている。これらの実施形態においても、縦中心線８上に位置する帯状部材９が押し上げられることで、ナプキンが変形して着用者の排泄部位のくぼみにフィットするようになる。
【００２５】
本発明は前記実施形態に制限されない。例えば、前記の各実施形態においては、帯状部材が内側股下布に固定されていたが、これに代えて外側股下布に固定してもよく、或いは両布に固定してもよい。
【００２６】
また前記の各実施形態においては、股下部が二枚の布から構成されており、両布の間に帯状部材が配されていたが、これに代えて股下部を一枚の布から構成し、該布の内外面の何れかに帯状部材を取り付けてもよい。
【００２７】
【発明の効果】
本発明の生理用ショーツによれば、生理用ナプキン等の吸収性物品が着用者の身体に合った形状に変形することができ、十分なフィット性が得られ、液漏れが起こりにくくなる。
特に、股下部に前記保形片を配することで、ナプキンのヨレが起こりにくくなり、液漏れが一層起こりにくくなる。
【図面の簡単な説明】
【図１】本発明の生理用ショーツの第１の実施形態を示す斜視図である。
【図２】図１に示すショーツの股下部を外側からみた一部破断平面図である。
【図３】曲げ剛性値の測定方法を示す図である。
【図４】本発明の生理用ショーツの第２の実施形態における股下部を外側からみた一部破断平面図（図２相当図）である。
【図５】本発明の生理用ショーツの第２及び第３の実施形態における股下部を外側からみた一部破断平面図（図２相当図）である。
【符号の説明】
１  生理用ショーツ
２  前身頃
３  後身頃
４  股下部
５  外側股下布
６  内側股下布
７  防水層
８  縦中心線
９  帯状部材
１０  保形片
【図１】
0004145043.tif 000002
【図２】
0004145043.tif 000003
【図３】
0004145043.tif 000004
【図４】
0004145043.tif 000005
【図５】
0004145043.tif 000006